(57)【特許請求の範囲】
【請求項１】
ダンパから引き出される紐状体の先端部をグローブボックスに取着して、該ダンパをインストルメントパネル側のパネル部材に取付けるグローブボックス用ダンパの取付け構造において、
パネル部材の壁面に立設するダンパ取付け用のボスと、上部に凹みを形成して前記壁面に立設する受けリブと、を備える受止め部を複数設け、該受けリブの凹みにダンパのシリンダを納めて該ダンパを前記ボスに取付けできる一方、
該受けリブの基端縁にヒンジ部を設け、該ヒンジ部を介して延設するパネル部材の壁部に、前記凹みと異なる窪みを形成する受部がその外周をスリットで取り巻いて型取られ、前記ヒンジ部を支点に該受部が旋回し起立することにより、該受部と前記受けリブとが重なり、該窪みに前記シリンダとは別異の異径のシリンダを納めてそのダンパが前記ボスに取付けられるようにしたことを特徴とするグローブボックス用ダンパの取付け構造。
【請求項２】
前記ボスの補強用リブが延設して前記受けリブを形成する請求項１記載のグローブボックス用ダンパの取付け構造。
【請求項３】
前記受部と、前記スリットを介して延在するパネル部材の壁部とをつなぎ部で連結し、且つ該つなぎ部を該受部と共に一体成形してパネル部材とする請求項１又は２記載のグローブボックス用ダンパの取付け構造。
【発明の詳細な説明】
【技術分野】
【０００１】
本発明は、グローブボックスがダンパによってコントロールされて開閉動する場合があるが、そのグローブボックス用ダンパの取付け構造に関する。
【背景技術】
【０００２】
自動車のインストルメントパネルの助手席側には、小物入れ用のグローブボックスが設けられる。このグローブボックスには、高級感を演出しゆっくりと開くようダンパが取付けられているものがある。該ダンパは公知品で、エアダンパ等が用いられる。ダンパは、例えばそのシリンダがインストルメントパネル側のロアアシストやパッセンジャーロアと呼ばれるパネル部材に取付けられる。該シリンダから引き出される紐状体の先端がグローブボックスに取付けられ、該紐状体はシリンダ側の引き戻し方向に弾性付勢されていることから、グローブボックスの開閉動がゆっくりと開く仕掛けになっている。
しかし、このような仕掛けもグローブボックス重量に変化が生じると、シリンダ側への弾性付勢力とのバランスが崩れてしまい、グローブボックスが期待通りにゆっくりと開かない場合がある。こうしたことから、その改良発明が提案されている（例えば特許文献１）。
【０００３】
【特許文献１】特開２００１−１５２７３６公報
【０００４】
特許文献１の開示発明は、「グラブボックス(本発明では「グローブボックス」)内に設計値よりも重量のある物を収納すると、ダンパの出力不足で、グラブボックスが速く開いてしまう」問題を、「支持構造体側に固定されるシリンダと、紐の基端部が接続されてシリンダ内を移動するピストンと、該ピストンを一方向に付勢するコイルばねとを、備え、ピストンのシリンダ内での移動範囲をボックス体の支持構造体に対する回動範囲よりも広くなるように設定する一方、エアダンパの紐の先端部１３ａをボックス体側に固定して、該ボックス体の開塞状態における紐の繰り出し長さを多段階的に変化させる手段を有する」エアダンパを提供し、解決を図っている。
【発明の開示】
【発明が解決しようとする課題】
【０００５】
しかし、特許文献１には次のような問題があった。例えば、北米仕様のグローブは、そのインナーパネル３１とアウターパネル３Ｂの間に鉄板等のニーガードが配設されるが、仕向け地追加等でニーガードを設けない場合が存在する(図１参照)。斯かる場合、特許文献１の開閉装置ではそれに追従させるのが難しかった。ニーガードを設けないグローブボックスは、重量が極端に軽くなり、元のダンパのままで、紐の繰り出し長さを変化させて追従させるのが厄介であった。また、ニーガード有りとニーガードなしのツータイプしかない同形グローブボックスに対し、紐の繰り出し長さを多段階的に変化させる手段を有するエアダンパを適用するのは無駄が多すぎた。さらに、そもそも大きなダンパを必要とせず、元のままの大きなダンパをそのまま使用することは車両の重量増を招き、コスト高にもつながった。
いっその事、ニーガードのないグローブボックスに、小さなダンパを適用することが考えられるが、ダンパのシリンダ径が違うことから取付けが困難であった。
【０００６】
本発明は、上記問題点を解決するもので、グローブボックスが仕向け地追加でその重量が変化した場合でも、それに合うダンパへと簡単に取り替えて、高級感を演出する開き速度が確保されるグローブボックス用ダンパの取付け構造を提供することを目的とする。
【課題を解決するための手段】
【０００７】
上記目的を達成すべく、請求項１に記載の発明の要旨は、ダンパから引き出される紐状体の先端部をグローブボックスに取着して、該ダンパをインストルメントパネル側のパネル部材に取付けるグローブボックス用ダンパの取付け構造において、パネル部材の壁面に立設するダンパ取付け用のボスと、上部に凹みを形成して前記壁面に立設する受けリブと、を備える受止め部を複数設け、該受けリブの凹みにダンパのシリンダを納めて該ダンパを前記ボスに取付けできる一方、該受けリブの基端縁にヒンジ部を設け、該ヒンジ部を介して延設するパネル部材の壁部に、前記凹みと異なる窪みを形成する受部がその外周をスリットで取り巻いて型取られ、前記ヒンジ部を支点に該受部が旋回し起立することにより、該受部と前記受けリブとが重なり、該窪みに前記シリンダとは別異の異径のシリンダを納めてそのダンパが前記ボスに取付けられるようにしたことを特徴とするグローブボックス用ダンパの取付け構造にある。
請求項２記載のグローブボックス用ダンパの取付け構造は、請求項１で、ボスの補強用リブが延設して前記受けリブを形成することを特徴とする。
請求項３記載のグローブボックス用ダンパの取付け構造は、請求項１又は２で、受部と、前記スリットを介して延在するパネル部材の壁部とをつなぎ部で連結し、且つ該つなぎ部を該受部と共に一体成形してパネル部材とすることを特徴とする。
【０００８】
請求項１の発明のごとく、ヒンジ部を介して延設するパネル部材の壁部に、凹みと異なる窪みを形成する受部がその外周をスリットで取り巻いて型取られ、ヒンジ部を支点に該受部が旋回し起立することにより、該受部と前記受けリブとが重なると、この重なり状態にすることによって剛性を高めて、該受部でも異径のシリンダを十分に支え持つことができる。そして、ヒンジ部を支点に受部が旋回し起立することにより、該受部と受けリブとが重なり、該窪みに前記シリンダとは別異の異径のシリンダを納めてそのダンパが前記ボスに取付けられるようにすると、一のパネル部材で、ニーガード有りと無しの二種類のグローブボックスに対して、それぞれに適合したダンパを取付けることができる。
請求項２の発明のごとく、ボスの補強用リブが延設して受けリブを形成すると、受けリブがボスの補強用リブを共用するので、合理的且つ効果的となる。
請求項３の発明のごとく、受部と、前記スリットを介して延在するパネル部材の壁部とをつなぎ部が連結すると、受部はヒンジ部に該つなぎ部が加わることによって安定保持される。
【発明の効果】
【０００９】
本発明のグローブボックス用ダンパの取付け構造は、グローブボックスが仕向け地追加等で、重量の違う二タイプが発生しても、一のパネル部材を使って、それぞれに高級感を演出する開き速度となる適合ダンパを簡単に取付け対応でき優れた効果を発揮する。
【発明を実施するための最良の形態】
【００１０】
以下、本発明に係るグローブボックス用ダンパの取付け構造について詳述する。  図１〜図７は本発明のグローブボックス用ダンパの取付け構造の一形態を示したもので、図１はその分解斜視図、図２は図１のパネル部材の要部斜視図、図３は(イ)が図２のＡ−Ａ矢視図で、(ロ)がヒンジ部を支点に受部を旋回し起立させた状態下での図２のＡ−Ａ矢視図である。図４は図２のＢ−Ｂ線矢視図、図５が他態様のグローブボックス用ダンパの取付け構造の断面図で、図４に対応するものである。図６はダンパ付きパネル部材へ取着されたグローブボックスの開閉状態を示す概略説明断面図、図７は受けリブに小径シリンダを納めた状態を示す参考図である。
【００１１】
本グローブボックス用ダンパの取付け構造は、ダンパ１がインストルメントパネル側のパネル部材２に取付けられる一方、該ダンパから引き出される紐状体１３の先端部１３ａがグローブボックス３に取着される(図１)。そして、北米仕様で鉄板等からなるニーガードが組み込まれたグローブボックス用ダンパ１(以下、「主ダンパ１ａ」という)を、受けリブ２２が受け支える。該受けリブはパネル部材２の外壁面に立設する。また、仕向け地が変わり、ニーガードなしの軽量グローブボックス３に変更対応できるようにしている。仕向け地変更に対応したダンパ１の受け支え用として受部２６が設けられる。受けリブ２２の基端縁２２ｂからヒンジ部２５を介して延設するパネル部材２の壁部２ａ１に、受けリブ２２とは形状の異なる受部２６が、その外周をスリット２７で取り巻くように型取られている。ヒンジ部２５を支点にこの受部２６を起立させることによって、主ダンパ１ａのシリンダ大きさとは違う異径の小径シリンダ１２を、該受部で受け支える構造とする(図３のロ)。
【００１２】
以下、各部を詳しく説明する。前記ダンパ１は、既述のごとく特開平1-266331,特開2001-152736号等に開示されている公知品である。そのダンパ１は、例えばシリンダ１０内のピストンに紐状体１３の基端部側が固着される。紐状体１３はシリンダ１０内に配設された圧縮コイルばね内を挿通後、図１,図６のごとくシリンダ１０から先端部１３ａが外に引き出される。シリンダ１０をパネル部材２に取付け、紐状体１３の先端部がグローブボックス３に取着される。グローブボックス３を図６の鎖線のごとく開くと、該グローブボックスは支軸４を中心にして回動し開いていく。圧縮コイルばねの弾性力に抗して、またシリンダ１０に設けた小孔(図示せず)からシリンダ内へ吸い込む空気の流動抵抗で、グローブボックス３がゆっくりと開いていく。グローブボックス３がゆっくりと開くことで高級感を演出する。一方、開いた状態からグローブボックス３を元に戻すときは、圧縮コイルばねの弾性復元力を借りて、また小孔から空気を排出させながら、グローブボックス３がスムーズに閉じていく。
【００１３】
前記主ダンパ１ａには、図１のごとくシリンダ１０から突出する突片１１ａを複数設ける。本実施形態は、シリンダ１０の両端部に突片１１ａをそれぞれ一個設ける。さらに、シリンダ１０の紐状体１３が繰り出す方の突片１１ａ側に、連結部を介して該突片１１ａの後方に別突片１１ｅを一個設ける。計三個の突片１１ａ,１１ｅが横一列に配される。突片１１ａに透孔１１ｂを形成し、突片１１ｅに透孔１１ｆを形成する。透孔１１ｆを利用して、パネル部材２に設けたピン２３に突片１１ｅを嵌合させ、両端の突片１１ａがビス９等の止具を用いてパネル部材２のボス２１に取付け固定される。
ここで、ニーガードが組み込まれたグローブボックス３には、前記凹み２２ａに合致する大径シリンダ１１の主ダンパ１ａが用いられる。一方、ニーガードが外された軽量のグローブボックス３では、大径シリンダ１１よりも小さな小径シリンダ１２のダンパ１(以下、「副ダンパ１ｂ」という)を使用する。軽量グローブボックスに対しては、グローブボックスの開き時間等の目標値を達成すべく、それに適合するダンパ能力の低い副ダンパ１ｂを用いる。本発明はニーガードなしのグローブボックス３にも、その開閉動に高級感を演出できるよう、パネル部材２を変えたりせずに、副ダンパ１ｂを採用できる構造にする。尚、副ダンパ１ｂは、主ダンパ１ａに比べ、ダンパ能力が低くなりシリンダ１０が小径になる。しかし、他の突片１２ａの取付け位置や突片１２ａ,透孔１２ｂなどの形状等は、主ダンパ１ａのもの同一仕様になっている。
【００１４】
前記パネル部材２は、ロアアシストやパッセンジャーロアと呼ばれ、グローブボックス３が閉じたときにそのポケット形成部３２が納められる板状成形部材である(図１,図６)。ポリプロピレン樹脂等の樹脂製成形品である。グローブボックス３のポケット形成部３２が納まる凹所ｕを車室側に形成した湾状部２ａと、該湾状部２ａの外周縁から外方へ張り出す鍔部２ｂとを備えたパネル部材２とする。パネル部材２はインストルメントパネル側に組付け固定される。
【００１５】
パネル部材２には、その外面側で取付け時にほぼ垂直になる外壁部位に、受止め部２０が複数設けられる。受止め部２０は、ダンパ取付け用のボス２１と板状受けリブ２２を具備する。該ボスはパネル部材２と一体にして、その外壁面に立設する。また、該受けリブはボス２１の外周面から延設し、且つパネル部材の外壁面に立設する。該受けリブに上部が切欠かれた弧状凹み２２ａを形成する。
本実施形態は、受止め部２０を二つ設け、該受け止め部に係る両受けリブ２２を並行配設する。両受けリブ間距離はダンパ１のシリンダ１０の長さよりも短めに設定される。前記凹み２２ａは大径シリンダ１１の径に合わせた弧状に形成される(図３のイ)。凹み２２ａに該シリンダを密着させて両受けリブ２２で安定保持するためである。
【００１６】
前記ボス２１は、凹み２２ａに大径シリンダ１１を納めたとき、前記透孔１１ｂが配される箇所にボス孔２１ａが位置するように配設される。ダンパ１の取付け時、該シリンダ１０の両側に設けた突片１１ａに係る透孔１１ｂにボス孔２１ａを合致させるようにして、二つのボス２１がパネル部材２の外壁面に立設する。また、突片１１ｅの透孔１１ｆに合致するように、ピン２３がパネル部材２の外壁面に立設する。そして、ボス２１,ピン２３と一体になった補強用リブ２４を、図２のごとくパネル部材外壁面に平面視十文字状に立設するが、ボス２１側の一つを延設して前記受けリブ２２とする。尚、図３で、符号２４ａはボス孔２１ａに透孔１１ｂを一致させ易くするストッパ部で、他の図面では図示を省く。
前記ピン２３に透孔１１ｆを嵌入しボス孔２１ａに透孔１１ｂを一致させて、凹み２２ａに主ダンパ１ａの大径シリンダ１１を納めると、凹み２２ａに大径シリンダ１１がピッタリと納まり、該受けリブがダンパ１を受け支える。該透孔１１ｂにビス９を挿通後、ボス２１に螺着固定することにより、大径シリンダ１１を受けリブ２２で受け止めさせながら、ダンパ１がボス２１に取付け固定される構造になっている。
【００１７】
また、パネル部材２には、受けリブ２２の基端縁２２ｂにヒンジ部２５が設けられる。さらに、該ヒンジ部を介して延設するパネル部材２の板状壁部２ａ１に、前記凹み２２ａと異なる弧状窪み２６ａを形成する板状受部２６が、スリット２７で型取られる。受部２６は、受けリブ２２の外側又は内側に延在するパネル部材２の壁部２ａ１と同一面上にあり、常態下、壁部２ａ１の一部を構成する。
上記ヒンジ部２５はインテグラルヒンジ部にして、受けリブ基端縁２２ｂにつながる受部基端縁２６ｅの全域に設けられる。ヒンジ部２５は、パネル部材２の成形の際、受けリブ２２,受部２６等と共に一体成形される。該インテグラルヒンジ部２５は、受部２６,壁部２ａ１,受けリブ２２と同材質であり、受部２６と受けリブ２２の境界で側面視Ｖ字形にカットした括れ部とする(図４)。
上記スリット２７は、ヒンジ部２５の両端から受部２６の外周に沿って取り巻くようにして、該受部２６を型取る細隙である。
【００１８】
本実施形態は、前述のごとく二つの受けリブ２２を設け、その両外側の基端縁２２ｂで、且つ凹所ｕ側の壁部２ａ１に前記ヒンジ部２５が形成される(図４)。受部２６と受けリブ２２とがヒンジ部２５を介してつながる。図１,図２のごとく両受けリブ２２の両外側で、該ヒンジ部を介して延在するパネル部材２の壁部２ａ１に、前記凹み２２ａよりも一回り小さい小径シリンダ１２の径に合わせた弧状窪み２６ａを形成する受部２６が、スリット２７で形づくられる。
【００１９】
そして、前記壁部２ａ１に形成された受部２６は、スリット２７域で壁部本体と分離しており、ヒンジ部２５を支点に旋回させ、容易に起立させることができる。この受部２６の起立によって、受部２６と受けリブ２２が重なり、大径シリンダ１１とは違う異径の小径シリンダ１２を窪み２６ａに納めて、そのダンパ１を前記ボス２１に取付けできる構造とする(図３のロ)。受部２６を受けリブ２２と同程度の大きさにしても、窪み２６ａの方が凹み２２ａよりも小さいことから、図示のごとく該窪みに小径シリンダ１２を納めるにあたって受けリブ２２が邪魔することはない。
本実施形態は、ヒンジ部２５を支点に受部２６が旋回,起立することによって、受部２６と受けリブ２２の両板面が当接する。符号ＴＳはその当接面を示す。斯かる状態下、小径シリンダ１２を弧状窪み２６ａに納めて、受部２６で該小径シリンダ１２を受け支えると共に、ビス９を用い、小径シリンダ１２に係るダンパ１が突片１１ａの透孔１１ｂを使ってボス２１に取付けられる構造とする。
【００２０】
ここで、仕向け地の追加で、ニーガードが取り外された軽量グローブボックスへと変更になった場合、図７のごとく受部２６の助けを借りずに、小径シリンダ１２に係る副ダンパ１ｂを受けリブ２２に取付けることも考えられる。しかし、凹み２２ａに小径シリンダ１２を納めると、その下方側に受けリブ２２の受け支える面がなく、図示のごとく空隙εができてしまう。凹み２２ａはもともと主ダンパ１ａの大径シリンダ１１用に造られたものだからである。グローブボックス３を開ける動作時に、小径シリンダ１２に同図矢印方向の荷重が加わるが、小径シリンダ１２を受け支える面がないことから、突片１２ａ周りに応力が集中する。その結果、突片１２ａ周りの座面の破損や小径シリンダ１２に変形を生じさせる。
こうしたことから、径違いの副ダンパ１ａを設置することができない。だからといって、主ダンパ１ａを取り付けると、グローブボックスの開き時間目標値が未達になる。仕向け地の追加で、新たな型を起こすとなるとコストが嵩む。
本発明は、ニーガードが外された軽量グローブボックス３に対応できる受部２６を、壁部２ａ１に型取りし、且つ起立させ易いように埋め込んで、一体成形させたパネル部材２とする(図２)。そして、受部２６が壁部２ａ１の一部になりつつ、必要なときは、受部２６を壁部２ａ１から起立させる構造とし、上記問題を解決する。
【００２１】
前記グローブボックス３は公知品で、ボックス本体３Ａとアウターパネル３Ｂとを具備する(図１)。ボックス本体３Ａは方形枠状体の樹脂製インナーパネル３１と樹脂製ポケット形成部３２とが一体成形で造られる。アウターパネル３Ｂは、インナーパネル３１と略同じ大きさにして、その外周部から直角に屈曲してインナーパネル３１に嵌合する鍔部を形成する。インナーパネル３１とアウターパネル３Ｂの間にニーガードを組み込めるグローブボックス３になるだけでなく、該ニーガードを外したグローブボックス３も組付けできるようにしている。グローブボックス３のボックス形成部３２の外壁には、紐状体１３の先端部１３ａを取着するための小突起３３が形成される。
【００２２】
ところで、前記受部２６の外周がスリット２７で取り巻かれているが、該受部はヒンジ部２５を介して受けリブ２２とつながっているにすぎない。
そこで、本発明は、受部２６と、スリット２７を介して延在するパネル部材２の壁部２ａ１とを、細幅板状のつなぎ部２８で連結する(図２)。つなぎ部２８は窪み２６ａが在る受部２６の先端部位に設ける。板状のつなぎ部２８を設けることで、受部２６のヒンジ部依存の片持ち支持が解消される。車両走行中に、受部２６がヒンジ部２５を支点にして不用意に揺動することはない。一方、板状のつなぎ部２８を射出成形におけるゲートのごとく薄肉とし、副ダンパ１ｂを採用する場合は、つなぎ部２８を簡単に切り離して、受部２６を旋回,起立させることができる。
【００２３】
また、本実施形態は、受部２６の外面に係止爪２６ｂを設ける。該係止爪は、受部２６に垂直起立する脚部２６ｂ１と、その上端から水平方向へ突出する爪部２６ｂ２とを備える(図２)。ヒンジ部２５を支点に該受部２６が旋回し起立することにより、該受部２６と前記受けリブ２２の板面同士が重なるが、このとき、係止爪２６ｂが樹脂の保有する弾性変形を伴いながら、爪部２６ｂ２が受けリブ２２の厚み幅を越えて該受けリブ２２の反対面に引っ掛かる。受部２６を旋回し起立させたとき、受けリブ２２と受部２６が重なり合うが、係止爪２６ｂを設けることで、受けリブ２２に受部２６が一体化し、該受部２６の起立状態を安定維持させる。ここでは、両受部２６に係止爪２６ｂをそれぞれ二つ設ける。受部２６を起立させたとき、一の係止爪２６ｂが受けリブ２２に設けた係止穴部分（図示せず）に引っ掛かり、他の係止爪２６ｂが受けリブ２２の外側縁２２ｃに引っ掛かる構成とする。該係止爪及び前記つなぎ部２８は、パネル部材２の成形で、壁部２ａ１,受止め部２０,ヒンジ部２５,受部２６,スリット２７などと一緒に一体成形される。
【００２４】
図５は他態様のグローブボックス用ダンパの取付け構造で、図４に相当する断面図である。該ダンパ１の取付け構造では、三つの受けリブ２２,受部２６を設ける。前記ピン２３の補強用リブ２４の一つを延設して、さらに新たな受けリブ２２を設ける。また、この受けリブ２２の基端縁２２ｂにヒンジ部２５を設け、図１〜図４と同様、該ヒンジ部２５を介して延設するパネル部材２の壁部２ａ１に、小径ダンパ１用の窪み２６ａが形成された受部２６を設ける。該受部２６はその外周をスリット２７で取り巻いて型取られている。ヒンジ部２５を支点に該受部２６が旋回し起立することにより、受部２６と受けリブ２２の板面が重なり合って、窪み２６ａに小径シリンダ１２を納めると共に、副ダンパ１ａがボス２１に取付けられる構造とする。他の構成は、図１〜図４と同様で、その説明を省く。図５中、図１〜図４と同一符号は同一又は相当部分を示す。尚、図１中、符号２ａ２は紐状体の通り抜け用通孔、符号２ｂ１は小孔を示す。符号３１ａは前記小孔２ｂ１に嵌合する凸部を示す。
【００２５】
このように構成したグローブボックス用ダンパの取付け構造は、ニーガードを組み込んだ標準仕様のグローブボックス３の場合、凹み２２ａに大径シリンダ１１を納めて受けリブ２２に受け支えさせた後、突片１１ａを利用して、主ダンパ１ａをボス２１に取付け固定できる。凹み２２ａに大径シリンダ１１が納められて、受けリブ２２に安定保持され、ビス９が透孔１１ｂの挿通後にボス２１に螺着固定されることで、主ダンパ１ａがパネル部材２に安定且つ確実に取付けられる。
一方、仕向け地の追加で、前記グローブボックスに組み込まれていたニーガードが外された場合でも、パネル部材２をそのまま使用し、軽量になったグローブボックスに合った副ダンパ１ｂをパネル部材２に簡単に取付けできる。パネル部材２を仕向け地別に設ける必要はない。壁部２ａ１に型取られている受部２６を、ヒンジ部２５を支点に回動し起立させた後、小径シリンダ１２をこれに合った弧状窪み２６ａに納めて、受部２６で確実に受け支え、且つ突片１１ａの透孔１１ｂを利用してボス２１に副ダンパ１ｂを簡単に取付け固定できる。ニーガードなしのグローブボックス３に対応する副ダンパ１ｂのパネル部材２への取付けが可能となり、ダンパ能力が余分で大きすぎる主ダンパ１ａを取り付ける際に生じる不具合が解消する。軽量グローブボックス３に合った副ダンパ１ｂが取付けられ、グローブボックス３の開き速度も目標値を達成する。軽量グローブボックス３が、副ダンパ１ｂによって高級感を演出するようコントロールされて開閉動する。ダンパ能力が高すぎることによるグローブボックスを開けた際の開き時間がかかりすぎる不具合、さらに本来不要である過剰容量の主ダンパ１ａを取付けることによるコスト増や重量増の問題も解決する。
【００２６】
また、受部２６はヒンジ部２５を支点に旋回させ起立させるが、このとき、受部２６と受けリブ２２の両板面が重なり合うので、受部２６に剛性をもたせることができ、強度的にも優れたものとなる。しかも、受けリブ２２はボス２１の補強リブのなかの一つを延設して形成するので、合理的且つ効果的である。
【００２７】
さらに、ヒンジ部２５,受部２６,係止爪２６ｂ,つなぎ部２８は、パネル部材２の成形時にこれと一体成形されるので、低コスト対応できる。係止爪２６ｂを設けることによって、ヒンジ部２５を支点に受部２６を旋回し起立させたとき、係止爪２６ｂが受けリブ２２に引っ掛かって受けリブ２２に受部２６が一体化するので、該受部２６を安定起立させることができる。加えて、つなぎ部２８を設けることによって、受部２６がつなぎ部２８を介して壁部２ａ１に連結するので、該受部２６をヒンジ部２５,受けリブ２２とつなぎ部２８,壁部２ａ１とで安定保持できる。
【００２８】
尚、本発明においては、前記実施例に示すものに限られず、目的，用途に応じて本発明の範囲で種々変更できる。前記実施例では、ダンパ取付用ボス２１と受けリブ２２をパネル部材２の外壁面に設けたが、グローブボックス３のポケット形成部３２に干渉しなければ、ダンパ取付用ボス２１と受けリブ２２をパネル部材２の内壁面に設けてもよい。また、ダンパ１,パネル部材２,グローブボックス３,ボス２１,受けリブ２２,ヒンジ部２５,受部２６等の形状，大きさ，個数などは用途に応じて適宜選択できる。
【図面の簡単な説明】
【００２９】
【図１】発明のグローブボックス用ダンパの取付け構造の一形態を示したもので、その分解斜視図である。
【図２】図１のパネル部材の要部斜視図である。
【図３】(イ)が図２のＡ−Ａ矢視図で、(ロ)がヒンジ部を支点に受部を旋回し起立させた状態下での図２のＡ−Ａ矢視図である。
【図４】図２のＢ−Ｂ線矢視図である。
【図５】他態様のグローブボックス用ダンパの取付け構造の断面図である。
【図６】ダンパ付きパネル部材へ取着されたグローブボックスの開閉状態を示す概略説明断面図である。
【図７】受けリブに小径シリンダを納めた状態を示す参考図である。
【符号の説明】
【００３０】
１                ダンパ
１０              シリンダ
１３              紐状体
２                パネル部材
２ａ１              壁部
２０              受止め部
２１              ボス
２２              受けリブ
２２ａ            凹み
２２ｂ            基端縁
２５              ヒンジ部
２６              受部
２６ａ            窪み
３                グローブボックス
【図１】
0005105421.tif 000002
【図２】
0005105421.tif 000003
【図３】
0005105421.tif 000004
【図４】
0005105421.tif 000005
【図５】
0005105421.tif 000006
【図６】
0005105421.tif 000007
【図７】
0005105421.tif 000008